【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
物理層で無線フレームを採用する携帯電話通信システムにおいて、送信される信号において、タイミングパラメータを指示し、Ｍ個の可能なセルグループから特定のセルグループの識別を行なう方法であって、前記無線フレームは複数のタイムスロットから成る、前記方法は、
前記無線フレームの既知の１のタイムスロットで、第１の順序で配列された１対のシーケンスＳｉ〜、Ｓｊ〜を含む同期信号Ｓ１を送信することと、
前記無線フレームの既知の別の既知のタイムスロットで、第２の順序で配列された前記１対のシーケンスＳｉ〜、Ｓｊ〜を含む同期信号Ｓ２を送信すること、を含み、
前記１対のシーケンスＳｉ〜、Ｓｊ〜のそれぞれは、少なくともＮｓｅｑ個の異なるシーケンスを含むグループから選択され、Ｎｓｅｑは少なくとも
【数１】
2010516132.tif 000001
個の異なるシーケンスであり、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記シーケンスの前記第１の順序は、前記無線フレームの前記既知の１のタイムスロットでの送信のために用いられ、前記シーケンスの前記第２の順序は、前記既知の別のタイムスロットでの送信のために用いられる方法。
【請求項２】
前記携帯電話通信システムの前記物理層は直交周波数分割多重方式を採用し、
前記１対のシーケンスＳｉ〜、Ｓｊ〜の前記第１の順序は、１つ以上のサブキャリアの第１の組での前記シーケンスＳｉ〜の送信、および、１つ以上のサブキャリアの第２の組での前記シーケンスＳｊ〜の送信により作用を受け、
前記１対のシーケンスＳｉ〜、Ｓｊ〜の前記第２の順序は、１つ以上のサブキャリアの前記第１の組での前記シーケンスＳｊ〜の送信、および、１つ以上のサブキャリアの前記第２の組での前記シーケンスＳｉ〜の送信により作用を受ける、請求項１に記載の方法。
【請求項３】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、周波数の第１の組での前記シーケンスＳｉ〜の送信、および、周波数の第２の組での前記シーケンスＳｊ〜の送信により作用を受け、
前記１対のシーケンスＳｉ〜、Ｓｊ〜の前記第２の順序は、周波数の前記第１の組での前記シーケンスＳｊ〜の送信、および、周波数の前記第２の組での前記シーケンスＳｉ〜の送信により作用を受ける、請求項１に記載の方法。
【請求項４】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ1と前記同期信号Ｓ２の一方を用いた無線フレームタイミングの検出を可能にする、請求項１に記載の方法。
【請求項５】
物理層で無線フレームを採用する携帯電話通信システムにおいて、受信される信号において、タイミングパラメータを検出し、Ｍ個の可能なセルグループから特定のセルグループの識別を行なう方法であって、前記無線フレームは、同期チャネルに関連する２つのタイミングスロットを含む複数のタイムスロットから成る、前記方法は、
前記同期チャネルに関連する一方の前記タイムスロットで、第１の同期信号Ｓ１と第２の同期信号Ｓ２の一方を受信することと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定することと、
前記複数の所定のシーケンスは、Ｎｓｅｑ個の異なるシーケンスを含むグループから選択され、Ｎｓｅｑは少なくとも
【数２】
2010516132.tif 000002
個の異なるシーケンスであり、
前記１対の受信されたシーケンスＳｉ〜、Ｓｊ〜がどのセルグループと一意的に関連付けられるかについての判定を含む、セルグループの識別工程を実行することによって、前記特定のセルグループを識別することと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定すること、を含む方法。
【請求項６】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項５に記載の方法。
【請求項７】
前記第１の同期信号Ｓ１と、前記第２の同期信号Ｓ２と、前記シーケンスＳｉ〜と、前記シーケンスＳｊ〜と、は全て長さが等しい、請求項６に記載の方法。
【請求項８】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｉ〜に、周波数の前記第１の組で受信されるようにさせ、かつ、前記シーケンスＳｊ〜に、周波数の前記第２の組で受信されるようにさせる、請求項５に記載の方法。
【請求項９】
前記同期チャネルに関連する一方の前記タイムスロットで、前記第１の同期信号Ｓ１と前記第２の同期信号Ｓ２の一方を受信することは、前記１対のシーケンスＳｉ〜、Ｓｊ〜を同時に受信することを含む、請求項５に記載の方法。
【請求項１０】
前記同期チャネルに関連する２つの前記タイムスロットのどちらで、前記第１の同期信号と前記第２の同期信号の前記一方が受信されたのかを示す情報を用いて、無線フレームタイミングを検出することを含む、請求項５に記載の方法。
【請求項１１】
前記１対の受信されたシーケンスＳｉ〜、Ｓｊ〜がどのセルグループと一意的に関連付けられるのかを判定することにより、前記特定のセルグループを識別することは、参照テーブル内でエントリの位置を特定するために前記１対のシーケンスＳｉ〜、Ｓｊ〜を用いることを含む、請求項５に記載の方法。
【請求項１２】
前記１対の受信されたシーケンスＳｉ〜、Ｓｊ〜がどのセルグループと一意的に関連付けられるのかを判定することにより、前記特定のセルグループを識別することは、計算回路によって実行される、請求項５に記載の方法。
【請求項１３】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、参照テーブル内でエントリの位置を特定するために前記１対の受信されたシーケンスＳｉ〜、Ｓｊ〜を用いることを含む、請求項５に記載の方法。
【請求項１４】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、計算回路によって実行される、請求項５に記載の方法。
【請求項１５】
前記同期チャネルに関連する他方の前記タイムスロットで、前記第１の同期信号と前記第２の同期信号の他方を受信することと、
実行されるセル探索の手続きの種類が、周波数間のセル探索の手続きであるかを判定することと、
実行されるセル探索の手続きの前記種類が、無線アクセス技術間のセル探索の手続きであるかを判定することと、
実行されるセル探索の手続きの前記種類が、セル間のセル探索の手続きであるかを判定することと、
実行されるセル探索の手続きの前記種類が、前記周波数間のセル探索の手続き、前記無線アクセス技術間のセル探索の手続き、または、前記セル間のセル探索の手続きのいずれでもない場合には、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行すること、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項５に記載の方法。
【請求項１６】
物理層で無線フレームを採用する携帯電話通信システムにおいて、送信される信号において、タイミングパラメータを指示し、Ｍ個の可能なセルグループから特定のセルグループの識別を行なう装置であって、前記無線フレームは複数のタイムスロットから成る、前記装置は、
前記無線フレームの既知の１のタイムスロットで、第１の順序で配列された１対のシーケンスＳｉ〜、Ｓｊ〜を含む同期信号Ｓ１を送信するために構成されたロジックと、
前記無線フレームの既知の別の既知のタイムスロットで、第２の順序で配列された前記１対のシーケンスＳｉ〜、Ｓｊ〜を含む同期信号Ｓ２を送信するために構成されたロジックと、を含み、
前記１対のシーケンスＳｉ〜、Ｓｊ〜のそれぞれは、Ｎｓｅｑ個の異なるシーケンスを含むグループから選択され、Ｎｓｅｑは少なくとも
【数３】
2010516132.tif 000003
個の異なるシーケンスであり、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記装置は、前記シーケンスの前記第１の順序が前記無線フレームの前記既知の１のタイムスロットでの送信のために用いられ、前記シーケンスの前記第２の順序が前記既知の別のタイムスロットでの送信のために用いられるように作動するために構成されている、装置。
【請求項１７】
前記携帯電話通信システムの前記物理層は直交周波数分割多重方式を採用し、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、１つ以上のサブキャリアの第１の組で前記シーケンスＳｉ〜を送信し、かつ、１つ以上のサブキャリアの第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、１つ以上のサブキャリアの前記第１の組で前記シーケンスＳｊ〜を送信し、かつ、１つ以上のサブキャリアの前記第２の組で前記シーケンスＳｉ〜を送信することによって、前記１対のシーケンスＳｉ〜、Ｓｊ〜の前記第２の順序に作用する、請求項１６に記載の装置。
【請求項１８】
前記第１の同期信号Ｓ１と、前記第２の同期信号Ｓ２と、前記シーケンスＳｉ〜と、前記シーケンスＳｊ〜と、は全て長さが等しい、請求項１７に記載の装置。
【請求項１９】
前記携帯電話通信システムの前記物理層において、前記同期信号Ｓ１のシンボルは周波数ドメインにおいて区別され、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、周波数の第１の組で前記シーケンスＳｉ〜を送信し、かつ、周波数の第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、周波数の前記第１の組で前記シーケンスＳｊ〜を送信し、かつ、周波数の前記第２の組で前記シーケンスＳｉ〜を送信することによって、前記１対のシーケンスＳｉ〜、Ｓｊ〜の前記第２の順序に作用する、請求項１６に記載の装置。
【請求項２０】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ１と前記同期信号Ｓ２の一方を用いた無線フレームタイミングの検出を可能にする、請求項１６に記載の装置。
【請求項２１】
物理層で無線フレームを採用する携帯電話通信システムにおいて、受信される信号において、タイミングパラメータを検出し、Ｍ個の可能なセルグループから特定のセルグループの識別を行なう装置であって、前記無線フレームは、同期チャネルに関連する２つのタイミングスロットを含む複数のタイムスロットから成る、前記装置は、
前記同期チャネルに関連する一方の前記タイムスロットで、第１の同期信号Ｓ１と第２の同期信号Ｓ２の一方を受信するために構成されたロジックと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定するために構成されたロジックと、
前記複数の所定のシーケンスは、Ｎｓｅｑ個の異なるシーケンスを含むグループから選択され、Ｎｓｅｑは少なくとも
【数４】
2010516132.tif 000004
個の異なるシーケンスであり、
前記１対の受信されたシーケンスＳｉ〜、Ｓｊ〜がどのセルグループと一意的に関連付けられるかについての判定を含む、セルグループの識別工程を実行することによって、前記特定のセルグループを識別するために構成されたロジックと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定するために構成されたロジックと、を含む装置。
【請求項２２】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項２１に記載の装置。
【請求項２３】
前記第１の同期信号Ｓ１と、前記第２の同期信号Ｓ２と、前記シーケンスＳｉ〜と、前記シーケンスＳｊ〜と、は全て長さが等しい、請求項２２に記載の装置。
【請求項２４】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｊ〜に、周波数の前記第１の組で受信されるようにさせ、かつ、前記シーケンスＳｉ〜に、周波数の前記第２の組で受信されるようにさせる、請求項２１に記載の装置。
【請求項２５】
前記同期チャネルに関連する一方の前記タイムスロットで、前記第１の同期信号Ｓ１と前記第２の同期信号Ｓ２の一方を受信するために構成された前記ロジックは、前記１対のシーケンスＳｉ〜、Ｓｊ〜を同時に受信するために構成されたロジックを含む、請求項２１に記載の装置。
【請求項２６】
前記同期チャネルに関連する前記２つのタイムスロットのどちらで、前記第１の同期信号と前記第２の同期信号の前記一方が受信されたのかを示す情報を用いて、無線フレームタイミングを検出するために構成されたロジックを含む、請求項２１に記載の装置。
【請求項２７】
前記１対の受信されたシーケンスＳｉ〜、Ｓｊ〜がどのセルグループと一意的に関連付けられるのかを判定することにより、前記特定のセルグループを識別するために構成された前記ロジックは、参照テーブル内でエントリの位置を特定するために前記１対の受信されたシーケンスＳｉ〜、Ｓｊ〜を用いるために構成されたロジックを含む、請求項２１に記載の方法。
【請求項２８】
前記１対の受信されたシーケンスＳｉ〜、Ｓｊ〜がどのセルグループと一意的に関連付けられるのかを判定することにより、前記特定のセルグループを識別するために構成された前記ロジックは、計算回路を含む、請求項２１に記載の方法。
【請求項２９】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
参照テーブルと、
前記参照テーブル内でエントリの位置を特定するために前記１対の受信されたシーケンスＳｉ〜、Ｓｊ〜を用いるために構成されたロジックと、を含む、請求項２１に記載の装置。
【請求項３０】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
入力として前記１対の受信されたシーケンスＳｉ〜、Ｓｊ〜を得る計算回路を含む、請求項２１に記載の方法。
【請求項３１】
前記同期チャネルに関連する他方の前記タイムスロットで、前記第１の同期信号と前記第２の同期信号の他方を受信するために構成されたロジックと、
実行されるセル探索の手続きの種類が、周波数間のセル探索の手続きであるかを判定するために構成されたロジックと、
実行されるセル探索の手続きの前記種類が、無線アクセス技術間のセル探索の手続きであるかを判定するために構成されたロジックと、
実行されるセル探索の手続きの前記種類が、セル間のセル探索の手続きであるかを判定するために構成されたロジックと、
前記周波数間のセル探索の手続き、前記無線アクセス技術間のセル探索の手続き、または、前記セル間のセル探索の手続きのいずれでもない、実行されるセル探索の手続きの前記種類に対して、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行することによって、対応するために構成されたロジックと、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項２１に記載の装置。